(57)【特許請求の範囲】
【請求項１】
入口及び出口を有する筒状のケーシングと、
前記ケーシングの中において前記入口に対応して設けられた弁座と、
前記ケーシングの中において前記弁座に対応して設けられた弁体と、
前記弁体を前記弁座に押し付けるためのスプリングと
を備え、前記入口から前記弁体に流体圧力が作用したときには、前記スプリングの付勢力に抗して前記弁体が前記弁座から引き離されることにより流体の流通を許容し、前記出口から前記弁体に前記流体圧力が作用したときには、前記スプリングの付勢力及び前記流体圧力に基づいて前記弁体が前記弁座に押し付けられることにより前記流体の逆流を防ぐようにした逆止弁であって、
前記弁座に対する前記弁体の移動を案内するために前記弁体に設けられ、前記入口の内壁に沿って摺動可能であり、前記弁体から前記弁体の摺動方向に突設された複数の中央リブを有する第１の案内部と、
前記ケーシングに対する前記弁体の移動を案内するために前記弁体の外周に設けられ、前記ケーシングの内壁に沿って摺動可能であり、前記弁体の外周から半径方向に放射状に突設された複数の外周リブを有する第２の案内部と、
前記スプリングを、前記弁座の外径よりも外側寄りの位置において前記弁体に係合させ、そのスプリングにより前記弁体を前記弁座に対して垂直に押し付けるようにしたことと
を備えたことを特徴とする逆止弁。
【請求項２】
請求項１に記載の逆止弁において、
前記弁体の前記弁座に押し付けられる部位及び前記弁座の少なくとも一方をゴム製の弁シートにしたことを特徴とする逆止弁。
【請求項３】
入口及び出口を有する筒状のケーシングと、
前記ケーシングの中において前記入口に対応して設けられた弁座と、
前記ケーシングの中において前記弁座に対応して設けられた弁体と、
前記弁体を前記弁座に押し付けるためのスプリングと
を備え、前記入口から前記弁体に流体圧力が作用したときには、前記スプリングの付勢力に抗して前記弁体が前記弁座から引き離されることにより流体の流通を許容し、前記出口から前記弁体に前記流体圧力が作用したときには、前記スプリングの付勢力及び前記流体圧力に基づいて前記弁体が前記弁座に押し付けられることにより前記流体の逆流を防ぐようにした逆止弁であって、
前記弁座に対する前記弁体の移動を案内するために前記弁体に設けられ、前記入口の内壁に沿って摺動可能であり、前記弁体から突設された複数の中央リブを有する第１の案内部と、
前記ケーシングに対する前記弁体の移動を案内するために前記弁体の外周に設けられ、前記ケーシングの内壁に沿って摺動可能であり、前記弁体の外周から放射状に突設された複数の外周リブを有する第２の案内部と、
前記各外周リブは、前記弁体の移動方向に沿って延びる脚部を有することと、
前記スプリングを、前記弁座の外径よりも外側寄りの位置において前記弁体に係合させ、そのスプリングにより前記弁体を前記弁座に対して垂直に押し付けるようにし、前記各脚部を内包して前記各外周リブに係合するコイルスプリングとしたことと、
前記弁体の前記弁座に押し付けられる部位及び前記弁座の少なくとも一方をゴム製の弁シートにしたことと
を備えたことを特徴とする逆止弁。
【請求項４】
請求項３に記載の逆止弁において、
前記弁体の外周と前記コイルスプリングの内周との間に前記流体の通過を許容するための隙間を設け、その隙間に対応する前記弁体の外周縁をテーパ面としたことを特徴とする逆止弁。
【請求項５】
請求項３又は請求項４に記載の逆止弁において、
前記各脚部の外面を、前記弁体の内方へ向かって傾斜させたことを特徴とする逆止弁。
【発明の詳細な説明】
【０００１】
【発明の属する技術分野】
この発明は、液体、気体等を対象とする流体用機器に適用され、その流体の逆流を防いで一方向にだけ流体を流すようにする逆止弁に関する。
【０００２】
【従来の技術】
従来、流体用機器の流路には、流体制御の必要性から、流体の逆流を防いで流体を一方向にだけ流す逆止弁が設けられることがある。
【０００３】
図８は、この種の液体用機器の流路に設けられる逆止弁５１の一例を示す。この逆止弁５１は、筒状のケーシング５２と、そのケーシング５２の中に設けられ、その入口５３を閉じるための弁体５４とを備える。弁体５４は、入口５３のテーパ面５５に整合する弁部５４ａと、その弁部５４ａの外周に装着されたＯリング５６と、弁部５４ａの中心から下方へ延びる軸部５４ｂとを有する。軸部５４ｂは、ケーシング５２の中心に設けられた軸受５２ａに組み付けられて軸線方向、即ち、同図の上下方向へ摺動可能をなす。弁体５４は、その弁部５４ａがテーパ面５５に当接するように、軸受５２ａの外周に装着されたコイルスプリング５７により付勢される。従って、逆止弁５１が液体をシールする機能は、Ｏリング５６がコイルスプリング５７の付勢力に基づいてテーパ面５５に押し付けられることにより得られる。
【０００４】
上記の逆止弁５１を適用した液体用機器の一つとして、例えば、図９に示すような風呂の給湯装置がある。この給湯装置は、浴槽６１や炊事場等に供給される新しい湯を作るための給湯部６２と、浴槽６１に溜まった湯を必要に応じて追い焚きするための追い焚き部６３と、給湯部６２と追い焚き部６３とを接続するための接続部６４とを有する。給湯部６２は、冷水管６５に供給される水を熱交換器６６で加熱して給湯管６７に送り込むものである。追い焚き部６３は、浴槽６１の湯水を循環ポンプ６８により循環管６９で循環させ、その湯水を別の熱交換器７０で加熱して循環管６９を通じて浴槽６１へ循環させるものである。給湯管６７に接続された接続部６４は、接続管７１において互いに直列に接続された開閉弁７２、逆流防止器７３及び切換弁７４を有する。開閉弁７２は、給湯部６２の湯を追い焚き部６３を介して浴槽６１へ供給するために開かれるものである。切換弁７４は、給湯部６３の湯を浴槽６１に供給するか、或いは、追い焚きのために浴槽６１の湯水を循環させるかを選択する際に切り替えられるものである。従って、浴槽６１に新しい湯を供給するには、切換弁７４を切り換えて開閉弁７２を開くことにより、給湯部６２の湯を接続部６４及び追い焚き部６３を通じて浴槽６１に落とし込む。一方、浴槽６１の湯水を追い焚きするには、切換弁７４を切り換え、循環ポンプ６８を作動させて浴槽６１の湯水を熱交換器７０で加熱しながら循環管６９を通じて循環させる。逆流防止器７３は、給湯管６７と循環管６９とを縁切りし、浴槽６１の湯水が冷水管６５、熱交換器６６及び給湯管６７に逆流するのを防止するためのものである。
【０００５】
ここで、上記の逆流防止器７３として、前述した逆止弁５１を二個直列に設けたものがある。逆止弁５１を二個直列に設けるのは、湯水の逆流防止機能を高めるためである。
【０００６】
【発明が解決しようとする課題】
ところが、上記のように逆流防止器７３に採用された逆止弁５１では、構造上、その出口５８に微圧が加わる場合の逆流防止機能に問題があった。即ち、上記のような風呂の給湯装置では、浴槽６１の湯水が少なくなった場合に、新しい湯を浴槽６１に自動的に補給することにより、浴槽６１の水位を一定に保つ制御を行うものがある。ここで、浴槽６１に新しい湯を補給するには、接続管７１を循環管６９に連通可能にするために切換弁７４が切り換えられるが、このとき、逆止弁５１の出口５８に浴槽６１の湯水による二次圧力が加わることがある。この出口５８にかかる二次圧力は、それら逆止弁５１と浴槽６１との位置関係、詳しくは、浴槽６１の水位と逆止弁５１の高さ位置との関係により変わるものである。二個ある逆止弁５１のうち、下流側の逆止弁５１に不具合がある場合には、上流側の逆止弁５１の出口５８にも湯水による二次圧力が加わることがある。
【０００７】
例えば、浴槽６１の水位が両逆止弁５１の位置よりも十分に高い場合、それらの出口５８に加わる二次圧力は十分に大きくなる。従って、逆止弁５１には、その弁体５４をテーパ面５５に強く押し付ける力が作用し、逆止弁５１は強固に閉じられることになる。或いは、浴槽６１の水位が両逆止弁５１の位置よりも十分に低い場合、それらの出口５８に二次圧力圧力は加わらない。従って、浴槽６１の湯水が両逆止弁５１を通って給湯部６２側へ逆流するおそれは全くない。
【０００８】
しかしながら、浴槽６１の水位が両逆止弁５１の位置とほぼ同じになるような場合、それらの出口５８に微圧が加わることがある。従って、逆止弁５１には、その弁体５４をテーパ面５５へ押し付ける力が作用するものの、その力は十分に強くはなく、場合によっては、弁体５４の姿勢が不安定になる傾向にある。特に、上記の逆止弁５１では、図８に示すように、弁体５４の中心の軸部５４ｂが軸受５２ａに支持される構造であることから、軸部５４ｂと軸受５２ａとの間の設定クリアランス（両者５４ｂ，５２ａの相対移動を許容するために必要なクリアランス）の大きさによっては、軸部５４ｂが入口５３の中心軸線に対して微妙にずれるおそれがある。しかも、上記の逆止弁５１では、シール性を確保するために弁部５４ａのＯリング５６をテーパ面５５に当接させる構造をとっている。このため、逆止弁５１を閉じるために弁体５４に作用する力の全てが、Ｏリング５６をテーパ面５５に垂直に押し付ける力、即ち、シール性を得るのに最も有効な力として作用する訳ではない。従って、弁体５４が微圧の作用によって微妙に傾いたり、弁体５４の中心軸線が入口５３の中心軸線からずれたりしたときには、Ｏリング５６とテーパ面５５との間に隙間が生じ、逆止弁５１が湯水の逆流を許容してしまうおそれがある。つまりは、浴槽６１の汚れた湯水が給湯部６２側へ逆流するおそれがあり、給湯部６２の衛生管理の上で問題であった。
【０００９】
この発明は上記の事情に鑑みてなされたものであって、その目的は、出口に微圧が加わる場合に十分なシール性を確保して逆流を未然に防止するようにした逆止弁を提供することにある。
【００１０】
【課題を解決するための手段】
上記の目的を達成するために、請求項１に記載の発明は、入口及び出口を有する筒状のケーシングと、そのケーシングの中において入口に対応して設けられた弁座と、ケーシングの中において弁座に対応して設けられた弁体と、弁体を弁座に対して垂直に押し付けるためのスプリングとを備え、入口から弁体に流体圧力が作用したときには、スプリングの付勢力に抗して弁体が弁座から引き離されることにより流体の流通を許容し、出口から弁体に流体圧力が作用したときには、スプリングの付勢力及び流体圧力に基づいて弁体が弁座に対して垂直に押し付けられることにより流体の逆流を防ぐようにした逆止弁であって、弁座に対する弁体の移動を案内するために弁体に設けられ、入口の内壁に沿って摺動可能であり、弁体から弁体の摺動方向に突設された複数の中央リブを有する第１の案内部と、ケーシングに対する弁体の移動を案内するために弁体の外周に設けられ、ケーシングの内壁に沿って摺動可能であり、弁体の外周から半径方向に放射状に突設された複数の外周リブを有する第２の案内部と、スプリングを、弁座の外径よりも外側寄りの位置において弁体に係合させ、そのスプリングにより弁体を弁座に対して垂直に押し付けるようにしたこととを備えたことを趣旨とする。
【００１１】
上記の構成によれば、弁体に設けられた複数の中央リブを有する第１の案内部が弁座に対応する入口の内壁に沿って摺動することにより、弁座に対する弁体の移動が案内される。従って、弁体においてシール性に影響の大きい弁座に近い部分の移動が、複数の中央リブを有する第１の案内部により入口の中心軸線に沿って案内されることになる。加えて、弁体の外周に設けられた複数の外周リブを有する第２の案内部がケーシングの内壁に沿って摺動することにより、ケーシングに対する弁体の移動が案内される。従って、弁体の移動が、複数の外周リブを有する第２の案内部により、ケーシングの中心軸線に沿って案内されることになる。このように、二種類の案内部の協働により、弁座に対する弁体の移動が、安定した姿勢をもって案内されることになる。
弁体が、弁座の外径よりも外側寄りの位置においてスプリングにより付勢されることから、スプリングの付勢力が弁体を介して弁座の当接面に均等に作用することになる。又、弁体が弁座に対して垂直に押し付けられることから、逆止弁を閉じるために弁体に作用する力の全てが、弁体を弁座に押し付けるための力として有効に作用することになる。
【００１２】
上記の目的を達成するために、請求項２に記載の発明は、請求項１の発明の構成において、弁体の弁座に押し付けられる部位及び弁座の少なくとも一方をゴム製の弁シートにしたことを趣旨とする。
【００１３】
上記の構成によれば、請求項１の発明の作用に加え、弁体と弁座との間にゴム製の弁シートが介在されることになり、両者の間の密着度が向上する。
【００１４】
上記の目的を達成するために、請求項３に記載の発明は、入口及び出口を有する筒状のケーシングと、ケーシングの中において入口に対応して設けられた弁座と、ケーシングの中において弁座に対応して設けられた弁体と、弁体を弁座に押し付けるためのスプリングとを備え、入口から弁体に流体圧力が作用したときには、スプリングの付勢力に抗して弁体が弁座から引き離されることにより流体の流通を許容し、出口から弁体に流体圧力が作用したときには、スプリングの付勢力及び流体圧力に基づいて弁体が弁座に押し付けられることにより流体の逆流を防ぐようにした逆止弁であって、弁座に対する弁体の移動を案内するために弁体に設けられ、入口の内壁に沿って摺動可能であり、弁体から突設された複数の中央リブを有する第１の案内部と、ケーシングに対する弁体の移動を案内するために弁体の外周に設けられ、ケーシングの内壁に沿って摺動可能であり、弁体の外周から放射状に突設された複数の外周リブを有する第２の案内部と、それら各外周リブは、弁体の移動方向に沿って延びる脚部を有することと、スプリングを、弁座の外径よりも外側寄りの位置において弁体に係合させ、そのスプリングにより弁体を弁座に対して垂直に押し付けるようにし、各脚部を内包して各外周リブに係合するコイルスプリングとしたことと、弁体の弁座に押し付けられる部位及び弁座の少なくとも一方をゴム製の弁シートにしたこととを備えたことを趣旨とする。
【００１５】
上記の構成によれば、弁体に設けられた複数の中央リブが弁座に対応する入口の内壁に沿って摺動することにより、弁座に対する弁体の移動が案内される。従って、弁体においてシール性に影響の大きい弁座に近い部分の移動が、複数の中央リブにより入口の中心軸線に沿って案内されることになる。加えて、弁体の外周に設けられた複数の外周リブがケーシングの内壁に沿って摺動することにより、ケーシングに対する弁体の移動が案内される。従って、弁体の移動が、複数の外周リブにより、ケーシングの中心軸線に沿って案内されることになる。このように、中央リブ及び外周リブの案内部の協働により、弁座に対する弁体の移動が、安定した姿勢をもって案内されることになる。
弁体が、複数の脚部を内包して各外周リブに係合するコイルスプリングにより付勢されることから、弁体に対してコイルスプリングが各脚部によって位置決めされ、コイルスプリングの付勢力が弁体を介して弁座の当接面に均等に作用することになる。又、弁体が弁座に対して垂直に押し付けられることから、逆止弁を閉じるために弁体に作用する力の全てが、弁体を弁座に押し付けるための力として有効に作用することになる。
【００１６】
上記の目的を達成するために、請求項４に記載の発明は、請求項３の発明の構成において、弁体の外周とコイルスプリングの内周との間に流体の通過を許容するための隙間を設け、その隙間に対応する弁体の外周縁をテーパ面としたことを趣旨とする。
【００１７】
上記の構成によれば、請求項３の発明の作用に加え、弁体の外周とコイルスプリングの内周との間の隙間により流体の通過が許容されることから、逆止弁が開いたときの流体の流路が確保される。又、その隙間に対応する弁体の外周縁がテーパ面をなすことから、隙間における流路抵抗が軽減される。
【００１８】
上記の目的を達成するために、請求項５に記載の発明は、請求項３又は請求項４の発明の構成において、各脚部の外面を、弁体の内方へ向かって傾斜させたことを趣旨とする。
【００１９】
上記の構成によれば、請求項３又は請求項４の発明の作用に加え、各脚部の外面が傾斜していることから、各脚部とコイルスプリングとの間の摩擦が緩和され、弁体とコイルスプリングとの間の動きが円滑になる。
【００２０】
【発明の実施の形態】
以下、本発明の逆止弁を具体化した一実施の形態を図面を参照して詳細に説明する。この実施の形態では、逆止弁が風呂の給湯装置に適用されるものとし、その給湯装置の基本構成を図９に示す従来のそれと同じものとする。即ち、この実施の形態の逆止弁は、従来と同様に接続部７３の逆流防止器７３に適用されるものとする。従って、以下において、風呂の給湯装置については、図９を参照して説明するものとする。
【００２１】
図１，２は、本実施の形態の逆止弁１を示す断面図であり、図３はその逆止弁を一部破断して示す正面図である。この逆止弁１は、ケーシング２、弁体３、コイルスプリング４及びストッパ５を備える。ストッパ５はケーシング２の一部を構成する。ケーシング２は、円筒状をなし、入口６及び出口７を有する。ケーシング２は、その中に入口６に対応して設けられた弁座８を有する。弁体３は、ケーシング２の中において弁座８に対応して設けられる。コイルスプリング４は、弁体３を弁座８に押し付けるためのものである。ストッパ５は、その中央に出口７を含み、ケーシング２の一端開口に嵌め込まれて弁体３及びコイルスプリング４の脱落を規制する。コイルスプリング４は、ストッパ５と弁体３との間に介在される。従って、この逆止弁１は、その入口６から弁体３に対して液体による一次圧力が作用したときに、図２に示すように、コイルスプリング４の付勢力に抗して弁体３が弁座８から引き離されることにより、液体の流通を許容するようになっている。この逆止弁１は、その出口７から弁体３に対して液体による二次圧力が作用したときには、図１に示すように、コイルスプリング４の付勢力及び液体による二次圧力に基づいて弁体３が弁座８に押し付けられることにより、液体の逆流を防止するようになっている。この実施の形態では、弁体３における弁座８に押し付けられる部位に、ゴム製の弁シート９が取り付けられる。
【００２２】
図４は弁体３の正面図を、図５は図４の平面図を、図６は図４の底面図をそれぞれ示す。この弁体３は、弁座８に対する弁体３の移動を案内するために、入口６の内壁に沿って摺動可能をなす第１の案内部を有する。この実施の形態の逆止弁１は、第１の案内部として、上方の弁体の摺動方向へ突設された三つの中央リブ１０を有する。これら中央リブ１０は、弁体３の中心に対して等角度間隔をもって配置される。更に、弁体３は、自身のケーシング２に対する移動を案内するために、ケーシング２の内壁に沿って摺動可能をなす第２の案内部を有する。この実施の形態の逆止弁１は、第２の案内部として、弁体３の外周から半径方向に放射状に等角度間隔をもって突設された四つの外周リブ１１を有する。各外周リブ１１は、弁体３の移動方向に沿って下方へ延びる脚部１２をそれぞれ有する。コイルスプリング４は、その一端部が各脚部１２を内包して各外周リブ１１に係合するように組み付けられる。コイルスプリング４は、弁座８の外径よりも外側寄りの位置において各外周リブ１１に係合され、そのスプリング４により弁体３が弁座８に対して垂直に押し付けられるようになっている。
【００２３】
この実施の形態では、図４に示すように、各脚部１２の外面１２ａが弁体３の内方へ向かって所定角度（例えば「１°」）だけ傾斜している。各脚部１２の長さは、コイルスプリング４が最も圧縮されても必要流路が確保できる高さなっている。
【００２４】
図１，２に示すように、この実施の形態の逆止弁１は、弁体３の外周とコイルスプリング４の内周との間に、液体の通過を許容するための隙間Ｇａを有する。図４，６に示すように、上記の隙間Ｇａに対応する弁体３の外周縁は、テーパ面１３となっている。
【００２５】
この逆止弁１は、図９に示す風呂の給湯装置の接続部６４の逆流防止器７３において、二個が直列に配置される。図７は、その接続部６４の具体的構成を一部破断して示す正面図である。この接続部６４は、接続管７１と、その接続管７１に互いに直列に接続された開閉弁７２、逆流防止器７３及び切換弁７４とを有する。
【００２６】
この実施の形態において、開閉弁７２はソレノイド２１を駆動源とするパイロット式のダイヤフラム弁より構成される。開閉弁７２に通じる第１の接続口２２は、給湯部６２の給湯管６７に接続される。切換弁７４は、モータ２３を駆動源とするボール弁より構成され、その第２及び第３の接続口２４，２５は、追い焚き部６３の循環管６９にそれぞれ接続される。従って、浴槽６１に新しい湯を供給するには、開閉弁７２を開き、切換弁７４を切り換えて第１の接続口２２と第２又は第３の接続口２４，２５とを互いに連通可能な状態とする。これにより、給湯部６２の湯を接続部６４及び追い焚き部６３を介して浴槽６１に落とし込む。一方、浴槽６１の湯水を追い焚きするには、切換弁７４を切り換えて第２及び第３の接続口２４，２５を互いに連通させると共に、循環ポンプ６８を作動させて浴槽６１の湯水を熱交換器７０で加熱しながら循環管６９を通じて循環させる。
【００２７】
逆流防止器７３は、二つの逆止弁１が各々入口６を上にして上下に重ねられて配置される。この実施の形態の接続部６４は、二つの逆止弁１と直列に配置される流量センサ２６を更に備える。この流量センサ２６は、回転式のマグネットホール素子より構成され、接続部６４を流れる湯量を検出するためのものである。逆流防止器７３は、その二つの逆止弁１の協働により給湯管６７と循環管６９とを縁切りし、浴槽６１の湯水が給湯管６に逆流するのを防止するためのものである。この実施の形態の給湯装置は、浴槽６１の湯が少なくなったときに、新しい湯を浴槽６１に自動的に補給して浴槽６１の水位を一定に保つ制御を行うようになっている。
【００２８】
次に、上記のように構成した逆止弁１及びそれを含む風呂の給湯装置の動作等について説明する。
【００２９】
風呂の給湯装置において、浴槽６１に新しい湯を補給するには、接続管７１を循環管６９に連通させるために切換弁７４が切り換えられる。このとき、浴槽６１の水位と逆流防止器７３の位置との関係から、逆止弁１の出口７には、浴槽６１の湯水による二次圧力が加わることがある。二個ある逆止弁１のうち、下流側の逆止弁１に不具合がある場合には、上流側の逆止弁１の出口７にも湯水による二次圧力が加わることがある。ここで、浴槽６１の水位が逆止弁１の位置よりも十分に高い場合、それらの出口７にかかる二次圧力は十分に大きくなる。このとき、逆止弁１には、コイルスプリング４の付勢力及び浴槽６１の湯水による二次圧力の両方に基づき、弁体３を弁座８に垂直に強く押し付ける力が作用し、図１に示すように、逆止弁１はそれぞれ強固に閉じられることになる。或いは、浴槽６１の水位が両逆止弁１の位置よりも十分に低い場合、それらの出口７には浴槽６１の湯水による圧力が加わることはなく、コイルスプリング４の付勢力のみにより、図１に示すように、弁体３が弁座８に垂直に押し付けられる。このような逆止弁１の機能により、浴槽６１の湯水が給湯部６２側へ逆流することは全くない。
【００３０】
一方、浴槽６１の水位が両逆止弁１の位置とほぼ同じになるような場合、それらの出口７には浴槽６１の湯水により微圧が加わることがある。このとき、逆止弁１には、その弁体３を弁座８へ押し付けようとする力が作用するものの、その力は十分には強くない。この逆止弁１の構成によれば、弁体３に設けられた各中央リブ１０が入口６の内壁に沿って摺動することにより、弁座８に対する弁体３の移動が案内される。従って、弁体３においてシール性に影響の大きい弁座８に近い部分、即ち弁シート９の移動が、複数の中央リブ１０により入口６の中心軸線に沿って案内されることになる。加えて、弁体３の外周に設けられた複数の外周リブ１１がケーシング２の内壁に沿って摺動することにより、ケーシング２に対する弁体３の移動が案内される。従って、弁体３の移動が、各外周リブ１１により、ケーシング２の中心軸線に沿って案内されることになる。このように、各中央リブ１０及び各外周リブ１１の協働により、弁座８に対する弁体３の移動が安定した姿勢をもって案内されることになる。
【００３１】
更に、弁体３が、弁座８の外径よりも外側寄りの位置においてコイルスプリング４により付勢されることから、コイルスプリング４の付勢力が弁体３を介して弁座８の当接面に均等に作用することになる。弁体３が弁座８に対して垂直に押し付けられることから、逆止弁１を閉じるために弁体３に作用する力の全てが、弁体３を弁座８に押し付けるための力として有効に作用することになる。
【００３２】
このため、浴槽６１の湯水により逆止弁１の出口７に微圧が加わる場合でも、弁体３と弁座８とを精密に接合させて十分なシール性を確保することができるようになる。この結果、浴槽６１の汚れた湯水が逆止弁１を通じて給湯部６２側へ逆流することを未然に防止することができ、給湯部６２の衛生管理を適正に行うことができるようになる。
【００３３】
この実施の形態の逆止弁１によれば、弁体３に設けられたゴム製の弁シート９が弁座８との間に介在されることから、両者３，８の間の密着度が向上する。この意味でも、出口７に微圧が加わる場合の弁体３と弁座８との間のシール性を向上させることができる。
【００３４】
この実施の形態の逆止弁１によれば、弁体３の外周とコイルスプリング４の内周との間の隙間Ｇａにより湯の通過が許容されることから、逆止弁１が開いたときの湯の流路がその隙間Ｇａにより確保される。即ち、図２に示すように、逆止弁１が全開になると、弁体３はその各脚部１２がストッパ５に底付きするかたちとなり、コイルスプリング４は最も圧縮された状態となる。このため、コイルスプリング４の外周から出口７へは湯が流れ難くなるが、弁体３とコイルスプリング４との隙間Ｇａにより、湯が出口７へ流れやすくなる。更に、その隙間Ｇａに対応する弁体３の外周縁がテーパ面１３をなすことから、隙間Ｇａにおける流路抵抗が軽減される。このため、給湯部６２から浴槽６１へ新しい湯を供給する際には、各逆止弁１において湯を円滑に流すことができ、比較的大きい流量を確保することができるようになる。
【００３５】
この実施の形態の逆止弁１によれば、コイルスプリング４が各脚部１２を内包するかたちで各外周リブ１１に係合することから、各脚部１２とコイルスプリング４との接触により、弁体３又はコイルスプリング４の横ずれが規制されることになる。この意味においても、弁体３の姿勢を安定的に保つことができる。ここで、各脚部１２の外面１２ａが傾斜していることから、各脚部１２とコイルスプリング４との間の接触摩擦が緩和されることになり、弁体３とコイルスプリング４との間の相対的な動きが円滑になる。この意味において、逆止弁１の動作上の応答性を確保することができるようになる。
【００３６】
尚、この発明は前記実施の形態に限定されるものではなく、発明の趣旨を逸脱しない範囲で以下のように実施することもできる。
【００３７】
（１）前記実施の形態では、本発明の逆止弁を風呂の給湯装置の逆流防止器７３に適用される逆止弁１に具体化したが、給湯装置以外の液体用機器に適用される逆止弁に具体化したり、気体用機器に適用される逆止弁に具体化したりすることもできる。
【００３８】
（２）前記実施の形態では、弁体３に対して弁シート９を設けたが、弁座８の当接面に弁シートを設けたり、弁体３及び弁座８の両方に弁シートを設けたりしてもよい。或いは、弁シートを省略することもできる。
【００３９】
（３）前記実施の形態では、弁体３とコイルスプリング４との間の隙間Ｇａに対応する弁体３の外周縁をテーパ面１３としたが、このテーパ面１３を省略することもできる。
【００４０】
（４）前記実施の形態では、外周リブ１１に脚部１２を設け、その脚部１２の外面１２ａを弁体３の内方へ向かって傾斜させたが、この傾斜を省略することもできる。或いは、各脚部１２そのものを省略することもできる。
【００４１】
【発明の効果】
請求項１に記載の発明によれば、逆止弁において、弁座に対する弁体の移動を、入口の内壁に沿って摺動可能に弁体に設けられた弁体から弁体の摺動方向に突設された複数の中央リブを有する第１の案内部により案内し、ケーシングに対する弁体の移動を、ケーシングの内壁に沿って摺動可能に弁体の外周に設けられた弁体の外周から半径方向に放射状に突設された複数の外周リブを有する第２の案内部により案内するようにしている。更に、弁座の外径よりも外側寄りの位置において弁体に係合させたスプリングにより、弁体を弁座に対して垂直に押し付けるようにしている。
従って、各中央リブ及び各外周リブの協働により、弁座に対する弁体の移動が、安定した姿勢をもって案内されるようになる。又、スプリングの付勢力が弁体を介して弁座の当接面に均等に作用し、逆止弁を閉じるために弁体に作用する力の全てが弁体を弁座に押し付ける力として有効に作用するようになる。この結果、出口に微圧が加わるような場合に、十分なシール性を確保することができ、流体の逆流を未然に防止することができるという効果を発揮する。
【００４２】
請求項２に記載の発明によれば、請求項１の発明において、弁体の弁座に押し付けられる部位及び弁座の少なくとも一方をゴム製の弁シートにしている。従って、弁体と弁座との間に介在される弁シートにより、両者の間の密着度が向上する。この結果、請求項１の発明の効果に加え、出口に微圧が加わる場合に弁体と弁座との間のシール性を更に向上させることができるという効果を発揮する。
【００４３】
請求項３に記載の発明によれば、第１の案内部を複数の中央リブとし、第２の案内部を複数の外周リブとし、各外周リブに脚部を設け、各脚部を内包するように各外周リブにコイルスプリングを係合させている。
従って、各中央リブ及び各外周リブの協働により、弁座に対する弁体の移動が、安定した姿勢をもって案内されるようになる。又、コイルスプリングの付勢力が弁体を介して弁座の当接面に均等に作用し、逆止弁を閉じるために弁体に作用する力の全てが弁体を弁座に押し付ける力として有効に作用するようになる。この結果、出口に微圧が加わるような場合に十分なシール性を確保することができ、流体の逆流を未然に防止することができるという効果を発揮する。
【００４４】
請求項４に記載の発明によれば、請求項３の発明の構成において、弁体の外周とコイルスプリングの内周との間に流体を通過させるための隙間を設け、その隙間に対応する弁体の外周縁をテーパ面としている。
従って、逆止弁が開いたときの流体の流路が隙間により確保され、その隙間における流路抵抗が軽減される。この結果、請求項３の発明の効果に加え、開弁時の逆止弁において流体を円滑に流すことができ、比較的大きい流量を確保することができるという効果を発揮する。
【００４５】
請求項５に記載の発明によれば、請求項３又は請求項４の発明の構成において、各脚部の外面を傾斜させている。
従って、各脚部とコイルスプリングとの間の接触摩擦が緩和され、弁体とコイルスプリングとの間の動きが円滑になる。この意味で、請求項３又は請求項４の発明の効果に加え、逆止弁の動作上の応答性を確保することができるという効果を発揮する。
【図面の簡単な説明】
【図１】一実施の形態に係り、逆止弁を示す断面図である。
【図２】同じく、逆止弁を示す断面図である。
【図３】同じく、逆止弁を示す分解断面図である。
【図４】同じく、弁体を示す正面図である。
【図５】同じく、図４の平面図である。
【図６】同じく、図４の底面図である。
【図７】同じく、給湯装置の接続部を一部破断して示す正面図である。
【図８】従来の逆止弁を示す断面図である。
【図９】従来の風呂の給湯装置を示す概念構成図である。
【符号の説明】
１      逆止弁
２      ケーシング
３      弁体
４      コイルスプリング
６      入口
７      出口
８      弁座
９      弁シート
１０    中央リブ（第１の案内部を構成する。）
１１    外周リブ（第２の案内部を構成する。）
１２    脚部
１２ａ  外面
１３    テーパ面
Ｇａ    隙間
【図１】
0003589866.tif 000002
【図２】
0003589866.tif 000003
【図３】
0003589866.tif 000004
【図４】
0003589866.tif 000005
【図５】
0003589866.tif 000006
【図６】
0003589866.tif 000007
【図７】
0003589866.tif 000008
【図８】
0003589866.tif 000009
【図９】
0003589866.tif 000010